(57)【要約】【課題】本発明は、測定された紫外線量とユーザにより使用される日焼け止めクリームのＳＰＦ値とに基づいて、日焼け止め効果持続時間を表示／鳴動させる機能を具備した携帯端末を提供する。【解決手段】携帯端末に照射される紫外線の紫外線量を取得する第１の取得手段（Ｓ２０３）と、日焼け止めクリームのＳＰＦ値を取得する第２の取得手段（Ｓ２１１）と、紫外線量、ＳＰＦ値に基づいて日焼け止め効果の持続時間を算出する算出手段（Ｓ２１３）と、持続時間を提示する提示手段（Ｓ２１５）とを備えた。【選択図】  図５
2010266240.tif 000002
【特許請求の範囲】
【請求項１】
携帯端末に照射される紫外線の紫外線量を取得する第１の取得手段と、
日焼け止めクリームのＳＰＦ値を取得する第２の取得手段と、
前記第１の取得手段により取得された紫外線量、及び前記第２の取得手段により取得されたＳＰＦ値に基づいて日焼け止め効果の持続時間を算出する算出手段と、
前記算出手段により算出された持続時間を提示する第１の提示手段と
を備えたことを特徴とする携帯端末。
【請求項２】
紫外線量、日焼け止めクリームのＳＰＦ値、及び日焼け止効果の持続時間をそれぞれ対応付けて記憶する記憶手段を備え、
前記算出手段は、前記第１の取得手段により取得された紫外線量、及び前記第２の取得手段により取得されたＳＰＦ値、及び前記記憶手段により記憶された情報に基づいて日焼け止め効果の持続時間を算出することを特徴とする請求項１記載の携帯端末。
【請求項３】
前記第１の提示手段により持続時間が提示されてから、前記算出手段により算出された日焼け止め効果の持続時間が経過した場合、持続時間の経過を通知する通知手段と、
前記通知手段により持続時間の経過が通知された場合、持続時間の経過をユーザに対して提示する第２の提示手段を備えたことを特徴とする請求項１記載の携帯端末。
【請求項４】
前記第１の取得手段は、紫外線量を定期的に取得し、
前記算出手段は、前記第１の取得手段により取得された紫外線量が前回から変更された場合、日焼け止め効果の持続時間を再度算出し、
前記提示手段は、前記算出手段により再度算出された継続時間を提示することを特徴とする請求項１記載の携帯端末。
【請求項５】
日焼け止めクリームのＳＰＦ値の入力を受け付ける入力受付手段を備え、
前記第２の取得手段は、前記入力受付手段により受け付けられたＳＰＦ値を取得することを特徴とする請求項１記載の携帯端末。
【請求項６】
天気情報を取得する第３の取得手段を備え、
前記算出手段は、前記第３の取得手段により取得された天気情報、及び前記第２の取得手段により取得されたＳＰＦ値に基づいて日焼け止め効果の持続時間を算出することを特徴とする請求項１記載の携帯端末。
【請求項７】
紫外線量、日焼け止めクリームのＳＰＦ値、及び日焼け止効果の持続時間をそれぞれ対応付けて記憶する記憶手段と、
携帯端末に照射される紫外線の紫外線量を取得する第１の取得手段と、
前記記憶手段により記憶された情報、及び前記第１の取得手段により取得された紫外線量に基づいて、最適なＳＰＦ値を算出する算出手段と、
前記算出手段により算出された最適なＳＰＦ値を提示する提示手段と、
を備えたことを特徴とする携帯端末。
【請求項８】
天気情報を取得する第３の取得手段を備え、
前記算出手段は、前記第３の取得手段により取得された天気情報に基づいて最適なＳＰＦ値を算出することを特徴とする請求項７記載の携帯端末。
【発明の詳細な説明】
【技術分野】
【０００１】
本発明は、携帯端末に照射される紫外線の紫外線量と日焼け止めクリームのＳＰＦ値とから、日焼け止めクリームの効果持続時間を算出して、ユーザに対して提示することができる携帯端末に関する。
【背景技術】
【０００２】
近年、紫外線が人間の肌に有害であることは、医学的に知られている。しかしながら、人々が紫外線の強度を肌で感知することは困難であるため、人々が適切な保護措置をタイムリーに採ることができないという問題があった。そこで、いつでもどこでも紫外線強度を測定することができる携帯型の紫外線強度表示装置が提案されている。
【０００３】
例えば特許文献１によると、紫外線の強度をいつでもどこでも知ることができ、さらに積極的警告を発する携帯型の紫外線強度表示装置が提案されている。この紫外線強度表示装置は、乗り物または持ち運び可能な物品や電子機器に搭載され、紫外線センサ及びディスプレイ及び／またはアラームなどの表示装置を含み、ディスプレイに表示し、及び／または警報音あるいは振動を発生させることにより、可視的信号及び／または可聴的信号あるいは体感的信号を出力し、過度の紫外線照射を警告するものである。
【先行技術文献】
【特許文献】
【０００４】
【特許文献１】特開２００４−２２６４０９号公報
【発明の概要】
【発明が解決しようとする課題】
【０００５】
従来、日焼け止めクリームは定期的に塗布されることで効力を継続的に発揮するが、紫外線量や、使用される日焼け止めクリームのＳＰＦ（Ｓｕｎ  Ｐｒｏｔｅｃｔｉｏｎ  Ｆａｃｔｏｒ；紫外線防御指数）値によって日焼け止め効果の持続時間が異なってくるのにも関わらず、ユーザが日焼け止め効果が低下したことを知る術がないため、ユーザが日焼け止めクリームを塗り忘れてしまうことが多い。また、ユーザが紫外線量を測定するためには専用の紫外線検知器を携帯する必要があり、気軽に紫外線量を把握することは困難であった。
【０００６】
本発明は、上記課題を鑑みてなされてものであり、測定された紫外線量とユーザにより使用される日焼け止めクリームのＳＰＦ値とに基づいて、日焼け止め効果持続時間を表示／鳴動させる機能を具備した携帯端末を提供することを目的とする。
【課題を解決するための手段】
【０００７】
上記課題を解決するために、本発明に係る携帯端末は、携帯端末に照射される紫外線の紫外線量を取得する第１の取得手段と、日焼け止めクリームのＳＰＦ値を取得する第２の取得手段と、前記第１の取得手段により取得された紫外線量、及び前記第２の取得手段により取得されたＳＰＦ値に基づいて日焼け止め効果の持続時間を算出する算出手段と、前記算出手段により算出された持続時間を提示する提示手段とを備えたことを特徴とする。
【発明の効果】
【０００８】
本発明に係る携帯端末によると、ユーザが日焼け止めクリームを使用する際、ユーザにより使用される日焼け止めクリームのＳＰＦ値と測定された紫外線量や取得された天気情報とに基づいて、日焼け止めクリームの効果持続時間を計算し、効果持続時間の経過毎に表示／鳴動することでユーザに対して日焼け止めの塗布を喚起することにより、ユーザが日焼け止めクリームを塗り忘れることを防止し、日焼け止め効果を維持することが可能となる。
【図面の簡単な説明】
【０００９】
【図１】（Ａ）は、本発明に係る携帯端末（携帯電話機）の閉じた状態を示す斜視図、（Ｂ）は、本発明に係る携帯端末（携帯電話機）の開いた状態を示す斜視図。
【図２】本発明に係る携帯端末（携帯電話機）の機能を示すブロック図。
【図３】日焼け止め効果情報を示すデータ構成図。
【図４】第１実施形態の携帯端末（携帯電話機）が日焼け止め情報記憶処理を行う際の手順を示すフローチャート。
【図５】第１実施形態の携帯端末（携帯電話機）が持続時間算出処理を行う際の手順を示すフローチャート。
【図６】（Ａ）乃至（Ｃ）は、第１実施形態の携帯端末（携帯電話機）が持続時間算出処理を行う際の画面遷移図。
【図７】第１実施形態の携帯端末（携帯電話機）が警告処理を行う際の手順を示すフローチャート。
【図８】（Ａ）及び（Ｂ）は、第１実施形態の携帯端末（携帯電話機）が警告処理を行う際の画面図。
【図９】第２実施形態の携帯端末（携帯電話機）が持続時間算出処理を行う際の手順を示すフローチャート。
【図１０】（Ａ）乃至（Ｃ）は、第２実施形態の携帯端末（携帯電話機）が持続時間算出処理を行う際の画面遷移図。
【図１１】第３実施形態の携帯端末（携帯電話機）が推奨ＳＰＦ提示処理を行う際の手順を示すフローチャート。
【図１２】（Ａ）及び（Ｂ）は、第３実施形態の携帯端末（携帯電話機）が推奨ＳＰＦ提示処理を行う際の画面遷移図。
【発明を実施するための形態】
【００１０】
〔第１実施形態〕
本発明に係る携帯端末の第１実施形態について、図１乃至図８を参照しながら説明する。第１実施形態の携帯端末として、紫外線センサを備えているとともに、複数の筐体が相互にスライド自在に結合されてなる開閉自在の携帯電話機１を例にあげて説明する。
【００１１】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、相互に所定方向（例えば図１に示すＸ方向）に所定長さだけスライド可能なように結合されている。携帯電話機１は、上筐体１０が下筐体１１に対してスライドすることにより、閉じた状態から開いた状態に、あるいは開いた状態から閉じた状態に変形する。
【００１２】
上筐体１０の外面（下筐体１１に対面しない側の面）には、データを表示するためのディスプレイ１２、音声を出力するためのスピーカ１３、押下されることにより指示を入力する複数の操作キー１４、１５、携帯電話機１に照射される紫外線を検出する紫外線検出器１６が設けられている。操作キー１４は、例えばメール機能やＷｅｂ機能を起動するためのショートカットキーであり、操作キー１５は、例えばディスプレイ１２に表示されたカーソルを上下左右に移動させたり画面をスクロールさせたりするための方向キーである。紫外線検出器１６は、入射した紫外線の紫外線量を検出する検出器であって、例えばＳｉデバイスを用いたタイプや、ＺｎＯ単結晶を用いたタイプ等、任意のタイプの検出器であって良い。
【００１３】
これらのディスプレイ１２、スピーカ１３、及び操作キー１４、１５、紫外線検出器１６は、携帯電話機１が閉じた状態であっても開いた状態であっても外部に露出するように設けられている。よって、携帯電話機１が閉じた状態であっても開いた状態であっても、ユーザはディスプレイ１２の画面を視認したり操作キー１４、１５を介して携帯電話機１に指示を入力したり、また、携帯電話機１に入射している紫外線を検出したりすることができる。
【００１４】
下筐体１１の内面（上筐体１０に対面する側の面）には、音声を集音するためのマイクロフォン１７、押下されることにより指示を入力する複数の操作キー１８が設けられている。操作キー１８は、例えば数字や文字列を入力するためのテンキーなどである。これらのマイクロフォン１７、操作キー１８は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１８を介して指示を入力することができるが、携帯電話機１が閉じた状態のときには、ユーザは操作キー１８を介して指示を入力することができない。
【００１５】
下筐体１１の側面には、押下されることにより指示を入力する複数の操作キー１８ａが設けられている。これらの操作キー１８ａは、携帯電話機１が閉じた状態であっても開いた状態であっても外部に露出するように設けられている。よって、携帯電話機１が閉じた状態であっても開いた状態であっても、ユーザは操作キー１８ａを介して指示を入力することができる。
【００１６】
図２は、携帯電話機１を示す機能ブロック図である。携帯電話機１は、図２に示すように、主制御部２０、電源回路部２１、操作入力制御部２２、表示制御部２３、音声制御部２４、通信制御部２５、紫外線検出部２６、タイマー部２７、及び記憶部２８がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する日焼け止め効果管理処理、その他の様々な演算処理や制御処理等を行う。電源回路部２１はバッテリ等の電源供給源を具備し、例えばユーザによる操作キー１４を介した入力に基づいて電源のオン／オフ状態を切り替え、電源がオン状態の場合に電力供給源から各部に対して電力を供給して、携帯電話機１を動作可能にする。
【００１８】
操作入力制御部２２は操作キー１４、１５、１８、１８ａが押下等の操作を受けたことを検出する回路を備え、各々のキーの押下等の操作を検出すると、その操作を示す信号を生成して、この信号を主制御部２０に伝送する。信号を受信した主制御部２０は、この信号に基づいた処理を行う。表示制御部２３は主制御部２０の制御に基づいて、文字や画像等を含んだ表示用データをディスプレイ１２に表示する。
【００１９】
音声制御部２４は、主制御部２０の制御に基づいて、マイクロフォン１７で集音されたアナログ音声信号をデジタル音声信号に変換する。また音声制御部２４は、主制御部２０の制御に基づいて、デジタル音声信号をアナログ音声信号に変換し、スピーカ１３から音声として出力する。
【００２０】
通信制御部２５は、アンテナ２５ａを備えていて、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２８に記録されたりする。また通信制御部２５は、主制御部２０の制御に基づいて、マイクロフォン１７で集音された音声データや操作キー１４、１５、１８等を介して入力されたデータや記憶部２８に記憶されたデータを取得すると、これらのデータに対してスペクトラム拡散処理を行い、基地局に対してアンテナ２５ａを介して送信する。
【００２１】
紫外線検出部２６は、主制御部２０の制御に基づいて、紫外線検出装置１６により検出された紫外線量を取得するとともに、この紫外線量を示す信号を生成して、この信号を主制御部２０に対して伝送する。
【００２２】
タイマー部２７は、主制御部２０の指示に基づいて、所定時間の経過を通知するタイマー処理を行う。タイマー部２７は、主制御部２０からタイマー開始指示（タイマー時間を含む）を受信すると、このタイマー開始指示に基づいて所定時間（タイマー時間）の計時を開始し、所定時間が経過した際に、主制御部２０にタイマー終了通知を送信する。
【００２３】
記憶部２８は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する日焼け止め効果管理処理を行う際の処理プログラムは、例えばＲＯＭに記憶されているものとする。
【００２４】
携帯電話機１は、日焼け止め効果管理処理として、日焼け止めクリームの効果を示す情報を記憶する日焼け止め効果情報記憶処理と、日焼け止めクリームの効果の持続時間を算出する持続時間算出処理と、日焼け止めクリームの効果が終了したときにユーザに対して日焼け止めクリームの塗布を喚起する警告処理とを行う。
【００２５】
始めに、携帯電話機１が日焼け止めクリームの効果を示す情報を取得して記憶する日焼け止め効果情報記憶処理を行う際の手順を、図３に示すフローチャートに基づいて説明する。
【００２６】
携帯電話機１が日焼け止め効果管理処理を行うためには、日焼け止めクリームの持続時間を確認する必要がある。そこで主制御部２０は、日焼け止めクリームの効果を示す情報の取得が指示されたか否かを判断する（Ｓ１０１）。この際、主制御部２０は、例えば操作キー１４、１５、１８等のうち所定の操作キーが操作されたことに基づいて、情報の取得が指示されたものと判断する。情報の取得が指示されていない場合（Ｓ１０１のＮｏ）は、主制御部２０はそのまま待機する。
【００２７】
日焼け止めクリームの効果を示す情報の取得が指示された場合（Ｓ１０１のＹｅｓ）は、主制御部２０は、例えば通信制御部２５によりネットワークを介して日焼け止めクリームの効果を示す情報を取得する（Ｓ１０３）。この際、主制御部２０は、例えば日焼け止めクリーム企業のサイトから、情報を取得する。そして主制御部２０は、ステップＳ１０３にて取得した情報を、日焼け止め効果情報３０として記憶部２８に記憶する（Ｓ１０５）。
【００２８】
図４は、日焼け止め効果情報３０を示すデータ構成図である。日焼け止め効果情報３０は、例えば、ＳＰＦ情報３１と、紫外線量情報３２と、時間情報３３とがそれぞれ対応付けられた情報である。この日焼け止め効果情報３０において、ユーザが、ＳＰＦ情報３１に示されるＳＰＦの日焼け止めクリームを紫外線量情報３２に示される紫外線量の下で使用した場合、時間情報３３に示される時間だけ日焼け止め効果が継続されることを意味する。紫外線量情報３２は、例えばレベル１乃至レベル３（レベル１が最も小さく、レベル１、レベル２、レベル３の順に大きくなっていく）で示されている。
【００２９】
例えば図４に示す日焼け止め効果情報３０によると、「ＳＰＦ＋１０」のＳＰＦ情報３１、「レベル１」の紫外線量情報３２に対して、「９時間」の時間情報３３が対応付けられている。これは、ＳＰＦ＋１０の日焼け止めクリームをレベル１の紫外線量の下で使用した場合、日焼け止め効果の持続時間が９時間であることを意味する。
【００３０】
このようにして携帯電話機１は日焼け止めクリームの効果を示す情報をネットワークを介して取得して、またはメモリカード等の外部メモリ等から取得して、記憶部２８に日焼け止め効果情報３０として記憶しておく。
【００３１】
携帯電話機１は、ステップＳ１０５にて記憶された日焼け止め効果情報３０に基づいて、ユーザにより使用された日焼け止めクリームの効果持続時間を計算する。携帯電話機１がこの持続時間算出処理を行う際の手順を、図５に示すフローチャート及び図６（Ａ）乃至図６（Ｃ）に示す画面遷移図に基づいて説明する。
【００３２】
ユーザは、日焼け止めを使用する際、携帯電話機１において日焼け止め効果持続時間管理機能を起動して、使用する日焼け止めクリームに関する情報を入力する。よって主制御部２０は、日焼け止め効果持続時間管理機能が起動されたか否かを判断する（Ｓ２０１）。この際、主制御部２０は、例えば所定の操作キー１４、１５、１８等の操作に基づいて、起動が指示されたものと判断する。起動が指示されていない場合（Ｓ２０１のＮｏ）は、主制御部２０はそのまま待機する。
【００３３】
起動が指示された場合（Ｓ２０１のＹｅｓ）は、主制御部２０は、紫外線検出装置１６を用いて携帯電話機１に照射されている紫外線を検出して紫外線量を取得する（Ｓ２０３）。このとき主制御部２０は、紫外線検出部２６から紫外線量を示す信号を取得する。そして主制御部２０は、取得した紫外線量を記憶部２８に記憶しておく。また主制御部２０は、例えば通信制御部２５によりネットワークを介してその日の天気情報を取得する（Ｓ２０５）。このとき主制御部２０は、例えば天気予報サイトから天気情報を取得する。
【００３４】
主制御部２０は、ディスプレイ１２の表示画面４０に、ステップＳ２０３にて検出された紫外線量、及びステップＳ２０５にて取得された天気情報を含んだ表示欄４１を表示して、ユーザに対して、使用するＳＰＦ値の選択を促す（Ｓ２０７）。図６（Ａ）に示すように、表示欄４１には、紫外線量を示す情報（例えば「レベル３」）、天気情報を示す情報（例えば「晴れ」）、ユーザがＳＰＦ値を入力するためのＳＰＦ選択ボタン４２が表示されている。ユーザは、ＳＰＦ値を入力したいときに、ＳＰＦ選択ボタン４２を選択することにより、携帯電話機１にＳＰＦ値の入力を指示する。
【００３５】
主制御部２０は、ユーザによりＳＰＦ選択ボタン４２が選択されたことに基づいて、ディスプレイ１２の表示画面４０にＳＰＦ選択欄４３を表示して、ユーザに対して、ＳＰＦ値の入力を促す（Ｓ２０９）。図６（Ｂ）に示すように、ＳＰＦ選択欄４３には、複数のＳＰＦ値（「ＳＰＦ＋１０」、「ＳＰＦ＋２０」等）が選択可能に表示されている。ユーザは、操作キー１４、１５、１８等を用いて、使用する日焼け止めクリームのＳＰＦ値（例えば「ＳＰＦ＋２０」）を選択する。
【００３６】
主制御部２０は、ＳＰＦ値が選択されたか否かを判断する（Ｓ２１１）。この際、主制御部２０は、ＳＰＦ選択欄４３からいずれかのＳＰＦ値が選択された場合に、ＳＰＦ値が選択されたものと判断する。ＳＰＦ値が選択されていない場合（Ｓ２１１のＮｏ）は、主制御部２０はＳＰＦ値が選択されるまで待機する。
【００３７】
ＳＰＦ値が選択された場合（Ｓ２１１のＹｅｓ）は、主制御部２０は、選択されたＳＰＦ値に基づいて、日焼け止めの効果持続時間を計算する（Ｓ２１３）。この際、主制御部２０は、記憶部２８に記憶されている日焼け止め効果情報３０に基づいて、例えば、ステップＳ２０３にて取得された紫外線量が「レベル３」であり、ステップＳ２１１にて、ユーザにより使用される日焼け止めクリームのＳＰＦ値として「ＳＰＦ＋２０」が選択された場合には、日焼け止め効果情報３０から、持続時間「６時間」が計算される。
【００３８】
主制御部２０は、ディスプレイ１２の表示画面４０に、効果持続時間表示欄４４を表示する（Ｓ２１５）。図６（Ｃ）に示すように、効果持続時間表示欄４４は、ステップＳ２１３にて計算された日焼け止めクリームの効果持続時間（例えば「６時間」）を示す情報、待ち受け状態に移行するためのＯＫボタン４５を含んでいる。ユーザは、日焼け止めクリームの効果持続時間を確認したのち、ＯＫボタン４５を選択する。
【００３９】
そして主制御部２０は、ステップＳ２１３にて計算された効果持続時間のタイマーを起動する（Ｓ２１７）。このとき、主制御部２０はタイマー部２７に効果持続時間をタイマー時間に指定したタイマー開始指示を送信して、タイマーの起動を促す。タイマー開始指示を受信したタイマー部２７は、タイマーを開始する。
【００４０】
このようにして携帯電話機１は、ユーザが日焼け止めクリームを使用する際、周囲の紫外線量を測定したり天気情報を取得したりするとともに、使用される日焼け止めクリームのＳＰＦ値の選択を受け付けることにより、日焼け止め効果情報３０に基づいて、日焼け止めクリームのＳＰＦ値と紫外線量や天気情報とから日焼け止めクリームの効果持続時間を算出して、その効果持続時間の経過を通知するためのタイマーを起動する。
【００４１】
また、携帯電話機１は、ステップＳ２１７にて起動したタイマーに基づいて、ユーザが日焼け止めクリームを塗布したときに、この日焼け止めクリームの効果が終了するタイミングでユーザに対して日焼け止めクリームを再度塗布するように喚起する警告処理を行う。携帯電話機１がこの警告処理を行う際の手順について、図７に示すフローチャート、及び図８（Ａ）及び図８（Ｂ）に示す画面図に基づいて説明する。
【００４２】
始めに主制御部２０は、ステップＳ２１７にて起動されたタイマーが終了したか否かを判断する（Ｓ３０１）。タイマーが終了した場合（Ｓ３０１のＹｅｓ）は、主制御部２０は、ユーザにより塗布された日焼け止めクリームの効果が終了したものとし、ユーザに対して再度日焼け止めクリームを塗布するよう喚起するために、鳴動／表示を行って（Ｓ３０３）、警告処理を終了する。このとき主制御部２０は、ディスプレイ１２の表示画面４０に、効果終了表示欄４６を表示する。図８（Ａ）に示すように、効果終了表示欄４６には、日焼け止めクリームの効果がきれた旨を示す情報、待ち受け状態に移行するためのＯＫボタン４７が表示されている。ユーザは、日焼け止めクリームの効果がきれたことを確認した後に、ＯＫボタン４７を選択する。
【００４３】
タイマーが終了していない場合（Ｓ３０１のＮｏ）は、主制御部２０は、所定時間が経過したか否かを判断する（Ｓ３０５）。この所定時間は、携帯電話機１に照射される紫外線量が変化していないかを定期的にチェックするための時間間隔を示し、予め記憶部２８に記憶されている。所定時間が経過していない場合（Ｓ３０５のＮｏ）は、ステップＳ３０１に戻って、主制御部２０は再びタイマーが終了したか否かを判断する。
【００４４】
所定時間が経過した場合（Ｓ３０５のＹｅｓ）は、主制御部２０は、携帯電話機１に照射されている紫外線を検出して紫外線量を取得する（Ｓ３０７）。このとき主制御部２０は、紫外線検出部２６から紫外線量を示す信号を取得する。
【００４５】
主制御部２０は、前回紫外線量を取得したとき（ステップＳ２０３またはＳ３０７にて）と比較して紫外線量が変化したか否かを判断する（Ｓ３０９）。紫外線量が変化した場合（Ｓ３０９のＹｅｓ）は、主制御部２０は、変化後の紫外線量に基づいて、効果持続時間を再計算する（Ｓ３１１）。このとき主制御部２０は、ステップＳ２１３と同様の手順で効果持続時間を計算する。
【００４６】
主制御部２０は、ディスプレイ１２の表示画面４０に、効果持続時間表示欄４８を表示する（Ｓ３１３）。図８（Ｂ）に示すように、効果持続時間表示欄４８には、ステップＳ３１１にて再計算した効果持続時間（例えば４時間）を示す情報、ＯＫボタン４９が表示されている。ユーザは、使用した日焼け止めクリームの効果持続時間を確認した後に、ＯＫボタン４９を選択する。
【００４７】
主制御部２０は、ステップＳ３１３にて再計算された効果持続時間のタイマーを再起動する（Ｓ３１５）。このとき、主制御部２０はタイマー部２７に効果持続時間をタイマー時間に指定したタイマー開始指示を送信して、タイマーの起動を促す。タイマー開始指示を受信したタイマー部２７は、タイマーを開始する。そして、ステップＳ３０１に戻って、主制御部２０は、再びこのタイマーが終了したか否かを判断する。
【００４８】
このようにして携帯電話機１は、ユーザが使用している日焼け止めクリームの効果が終了した際、ユーザに対して日焼け止めクリームの塗布を喚起する。また、携帯電話機１は、ユーザが日焼け止めクリームを使用している間、定期的に紫外線量や天気情報を取得し、日焼け止めクリームの効果持続時間を算出したときと比較して、紫外線量や天気情報が変更された場合、日焼け止めクリームの効果持続時間を再計算して、タイマー時間を再計算された持続時間に設定してタイマーを再起動する。
【００４９】
なお、ステップＳ３０３にて携帯電話機１がユーザに対して日焼け止めクリームの塗布喚起のための鳴動／表示を行った後に、再びステップＳ２０３乃至Ｓ２１７の処理を行って、検出された紫外線量と取得された天気情報とに基づいてユーザにより使用される日焼け止めクリームの効果持続時間を再度計算してタイマーを開始しても良い。
【００５０】
また、ステップＳ２１５にて日焼け止めクリームの効果の持続時間を表示している最中に、ユーザが所定の操作キー１４、１５、１８等を操作することにより、持続時間の表示を停止するように指示された場合は、持続時間の表示を終了すると良い。
【００５１】
また、日焼け止め効果情報３０において日焼け止めクリームのＳＰＦ値と紫外線量と効果持続時間とが対応付けられているが、紫外線量の代わりに天気情報が対応付けられていても良い。この場合には、ステップＳ２１３にて日焼け止めクリームの効果持続時間が計算される際、ステップＳ２０５にて取得された天気情報に基づいて計算される。携帯電話機１に紫外線が直接照射されていない場合等、紫外線検出装置１６が紫外線量を正確に測定できない場合であっても、携帯電話機１は、天気情報を用いて日焼け止めクリームの効果持続時間を計算することができる。
【００５２】
または、ステップＳ２１３にて、紫外線量を用いて算出された効果持続時間、及び、天気情報を用いて算出された効果持続時間のうち、時間が短い方を選択して効果持続時間としても良い。あるいは、ステップＳ２１３にて、紫外線量を用いて算出された効果持続時間、及び、天気情報を用いて算出された効果持続時間のうち、ユーザにより選択された方を効果持続時間としても良い。
【００５３】
第１実施形態によると、ユーザが日焼け止めクリームを使用する際、ユーザにより使用される日焼け止めクリームのＳＰＦ値と測定された紫外線量や取得された天気情報とに基づいて、日焼け止めクリームの効果持続時間を計算し、効果持続時間の経過毎に表示／鳴動することでユーザに対して日焼け止めの塗布を喚起することにより、ユーザが日焼け止めクリームを塗り忘れることを防止し、日焼け止め効果を維持することが可能となる。
【００５４】
〔第２実施形態〕
本発明に係る携帯電話機の第２実施形態について、図９及び図１０を参照しながら説明する。以下、第１実施形態と同一の構成には同一の符号を付し、重複する説明を省略する。第２実施形態の携帯電話機１は、図１及び図２に示すように、第１実施形態の携帯電話機１と同一の構成を備えている。また第２実施形態の携帯電話機１は、第１実施形態の携帯電話機１と同様に、図３に示すように、主制御部２０、電源回路部２１、操作入力制御部２２、表示制御部２３、音声制御部２４、通信制御部２５、紫外線検出部２６、タイマー部２７、及び記憶部２８がバスによって相互に通信可能に接続されて構成されている。
【００５５】
第２実施形態の携帯電話機１は、第１実施形態のステップＳ１０１乃至Ｓ１０５と同様の処理を行うにより、記憶部２８に日焼け止め効果情報３０を記憶しているものとする。そして第２実施形態の携帯電話機１は、ステップＳ１０５にて記憶された日焼け止め効果情報３０に基づいて、ユーザにより使用された日焼け止めクリームの効果持続時間を計算する。携帯電話機１がこの持続時間算出処理を行う際の手順を、図９に示すフローチャート及び図１０（Ａ）乃至図１０（Ｃ）に示す画面遷移図に基づいて説明する。
【００５６】
ユーザは、日焼け止めを使用する際、携帯電話機１において日焼け止め効果持続時間管理機能を起動して、使用する日焼け止めクリームに関する情報を入力する。よって主制御部２０は、日焼け止め効果持続時間管理機能が起動されたか否かを判断する（Ｓ４０１）。この際、主制御部２０は、例えば所定の操作キー１４、１５、１８等の操作に基づいて、起動が指示されたものと判断する。起動が指示されていない場合（Ｓ４０１のＮｏ）は、主制御部２０はそのまま待機する。
【００５７】
起動が指示された場合（Ｓ４０１のＹｅｓ）は、主制御部２０は、紫外線検出装置１６を用いて携帯電話機１に照射されている紫外線を検出して紫外線量を取得する（Ｓ４０３）。このとき主制御部２０は、紫外線検出部２６から紫外線量を示す信号を取得する。そして主制御部２０は、取得した紫外線量を記憶部２８に記憶しておく。また主制御部２０は、例えば通信制御部２５によりネットワークを介してその日の天気情報を取得する（Ｓ４０５）。このとき主制御部２０は、例えば天気予報サイトから天気情報を取得する。
【００５８】
主制御部２０は、ディスプレイ１２の表示画面４０に、ステップＳ４０３にて検出された紫外線量、及びステップＳ４０５にて取得された天気情報を含んだ表示欄５０を表示して、ユーザに対して、使用するＳＰＦ値の選択を促す（Ｓ４０７）。図１０（Ａ）に示すように、表示欄５０には、紫外線量を示す情報（例えば「レベル３」）、天気情報を示す情報（例えば「晴れ」）、ユーザがＳＰＦ値を入力するためのＳＰＦ選択ボタン５１が表示されている。ユーザは、ＳＰＦ値を入力したいときに、ＳＰＦ選択ボタン５１を選択することにより、携帯電話機１にＳＰＦ値の入力を指示する。
【００５９】
主制御部２０は、ユーザによりＳＰＦ選択ボタン５１が選択されたことに基づいて、ディスプレイ１２の表示画面４０にＳＰＦ入力欄５２を表示して、ユーザに対して、ＳＰＦ値の入力を促す（Ｓ４０９）。図１０（Ｂ）に示すように、ＳＰＦ入力欄５２には、ＳＰＦ値を入力するための入力欄５３が表示されている。ユーザは、操作キー１４、１５、１８等を用いて、使用する日焼け止めクリームのＳＰＦ値（例えば「ＳＰＦ＋２０」）を入力する。主制御部２０は、ＳＰＦ値が入力されたか否かを判断する（Ｓ４１１）。ＳＰＦ値が入力されていない場合（Ｓ４１１のＮｏ）は、主制御部２０はＳＰＦ値が入力されるまで待機する。
【００６０】
ＳＰＦ値が入力された場合（Ｓ４１１のＹｅｓ）は、主制御部２０は、入力されたＳＰＦ値に基づいて、日焼け止めの効果持続時間を計算する（Ｓ４１３）。この際、主制御部２０は、記憶部２８に記憶されている日焼け止め効果情報３０に基づいて、例えば、ステップＳ４０３にて取得された紫外線量が「レベル３」であり、ステップＳ４１１にて、ユーザにより使用される日焼け止めクリームのＳＰＦ値として「ＳＰＦ＋２０」が入力された場合には、日焼け止め効果情報３０から、持続時間「６時間」が計算される。
【００６１】
主制御部２０は、ディスプレイ１２の表示画面４０に、効果持続時間表示欄５４を表示する（Ｓ４１５）。図１０（Ｃ）に示すように、効果持続時間表示欄５４は、ステップＳ４１３にて計算された日焼け止めクリームの効果持続時間（例えば「５時間」）を示す情報、待ち受け状態に移行するためのＯＫボタン５５を含んでいる。ユーザは、日焼け止めクリームの効果持続時間を確認したのち、ＯＫボタン５５を選択する。
【００６２】
そして主制御部２０は、ステップＳ４１３にて計算された効果持続時間のタイマーを起動する（Ｓ４１７）。このとき、主制御部２０はタイマー部２７に効果持続時間をタイマー時間に指定したタイマー開始指示を送信して、タイマーの起動を促す。タイマー開始指示を受信したタイマー部２７は、タイマーを開始する。そして主制御部２０は、ステップＳ４１７にて起動されたタイマーに基づいて、第１実施形態のステップＳ３０１乃至Ｓ３１５と同様の処理を行う。
【００６３】
このようにして携帯電話機１は、ユーザが日焼け止めクリームを使用する際、周囲の紫外線量を測定したり天気情報を取得したりするとともに、使用される日焼け止めクリームのＳＰＦ値の入力を受け付けることにより、日焼け止め効果情報３０に基づいて、日焼け止めクリームのＳＰＦ値と紫外線量や天気情報とから日焼け止めクリームの効果持続時間を算出して、その効果持続時間の経過を通知するためのタイマーを起動する。
【００６４】
なお、第１実施形態と同様に、日焼け止め効果情報３０において日焼け止めクリームのＳＰＦ値と紫外線量と効果持続時間とが対応付けられているが、紫外線量の代わりに天気情報が対応付けられていても良い。この場合には、ステップＳ２１３にて日焼け止めクリームの効果持続時間が計算される際、ステップＳ２０５にて取得された天気情報に基づいて計算される。
【００６５】
第２実施形態によると、ユーザが日焼け止めクリームを使用する際、ユーザにより使用される日焼け止めクリームのＳＰＦ値と測定された紫外線量や取得された天気情報とに基づいて、日焼け止めクリームの効果持続時間を計算し、効果持続時間の経過毎に表示／鳴動することでユーザに対して日焼け止めの塗布を喚起することにより、ユーザが日焼け止めクリームを塗り忘れることを防止し、日焼け止め効果を維持することが可能となる。
【００６６】
〔第３実施形態〕
本発明に係る携帯電話機の第３実施形態について、図１１及び図１２を参照しながら説明する。以下、第１実施形態及び第２実施形態と同一の構成には同一の符号を付し、重複する説明を省略する。第３実施形態の携帯電話機１は、図１及び図２に示すように、第１実施形態及び第２実施形態の携帯電話機１と同一の構成を備えている。また第３実施形態の携帯電話機１は、第１実施形態及び第２実施形態の携帯電話機１と同様に、図３に示すように、主制御部２０、電源回路部２１、操作入力制御部２２、表示制御部２３、音声制御部２４、通信制御部２５、紫外線検出部２６、タイマー部２７、及び記憶部２８がバスによって相互に通信可能に接続されて構成されている。
【００６７】
第１実施形態及び第２実施形態の携帯電話機１は、ユーザが自ら選択した日焼け止めクリームのＳＰＦ値を入力するものであったが、第３実施形態の携帯電話機１は、携帯電話機１に照射される紫外線量や天気情報に基づいて最適なＳＰＦ値を計算して、ユーザに対して最適な日焼け止めクリームを推奨するものである。
【００６８】
携帯電話機１は、第１実施形態のステップＳ１０１乃至Ｓ１０５の処理により、記憶部２８に日焼け止め効果情報３０を記憶している。そして携帯電話機１は、ステップＳ１０５にて記憶された日焼け止め効果情報３０に基づいて、ユーザに対して最適なＳＰＦ値を計算して、最適な日焼け止めクリームを推奨する。携帯電話機１がこの推奨ＳＰＦ提示処理を行う際の手順を、図１１に示すフローチャート及び図１２（Ａ）及び図１２（Ｂ）に示す画面遷移図に基づいて説明する。
【００６９】
ユーザは、使用する日焼け止めクリームを選択する際、例えば所定の操作キー１４、１５、１８等を操作することにより、紫外線量や天気情報から推奨される日焼け止めクリームの提示を携帯電話機１に指示する。よって主制御部２０は、推奨する日焼け止めクリームの提示が指示されたか否かを判断する（Ｓ５０１）。この際、主制御部２０は、例えば所定の操作キー１４、１５、１８等の操作に基づいて、提示が指示されたものと判断する。提示が指示されていない場合（Ｓ５０１のＮｏ）は、主制御部２０はそのまま待機する。
【００７０】
提示が指示された場合（Ｓ５０１のＹｅｓ）は、主制御部２０は、紫外線検出装置１６を用いて携帯電話機１に照射されている紫外線を検出して紫外線量を取得する（Ｓ５０３）。このとき主制御部２０は、紫外線検出部２６から紫外線量を示す信号を取得する。また主制御部２０は、例えば通信制御部２５によりネットワークを介してその日の天気情報を取得する（Ｓ５０５）。このとき主制御部２０は、例えば天気予報サイトから天気情報を取得する。
【００７１】
主制御部２０は、ディスプレイ１２の表示画面４０に、ステップＳ５０３にて検出された紫外線量、及びステップＳ５０５にて取得された天気情報を含んだ表示欄５６を表示して、ユーザに対して、推奨ＳＰＦ値の提示の指示を促す（Ｓ５０７）。図１２（Ａ）に示すように、表示欄５６には、紫外線量を示す情報（例えば「レベル３」）、天気情報を示す情報（例えば「晴れ」）、ユーザが推奨ＳＰＦ値の提示を指示するための推奨ＳＰＦボタン５７が表示されている。ユーザは、推奨ＳＰＦ値の提示を指示したいときに、推奨ＳＰＦボタン５７を選択する。
【００７２】
主制御部２０は、推奨ＳＰＦボタン５７の選択に基づいて、ステップＳ５０３にて取得した紫外線量、ステップＳ５０５にて取得した天気情報、及び記憶部２８に記憶された日焼け止め効果情報３０に基づいて、ユーザに対して推奨するＳＰＦ値を算出する（Ｓ５０９）。この際、主制御部２０は、記憶部２８に記憶されている日焼け止め効果情報３０に基づいて、例えば、ユーザの通常の外出時間が６時間であり、ステップＳ５０３にて取得された紫外線量が「レベル３」であった場合には、日焼け止め効果情報３０から、ＳＰＦ値「ＳＰＦ＋３０」が計算される。なお、ユーザの通常の外出時間は、ユーザにより随時入力されても記憶部２８に予め記憶されていても良い。
【００７３】
主制御部２０は、ディスプレイ１２の表示画面４０に、推奨ＳＰＦ表示欄５８を表示する（Ｓ５１１）。図１２（Ｂ）に示すように、効果持続時間表示欄５８は、ステップＳ５０９にて算出された推奨ＳＰＦ値（例えば「ＳＰＦ＋３０」や「ＳＰＦ＋２０」）を示す情報、待ち受け状態に移行するためのＯＫボタン５９を含んでいる。ユーザは、推奨ＳＰＦ値を確認したのち、ＯＫボタン５９を選択する。
【００７４】
このようにして携帯電話機１は、ユーザが日焼け止めクリームを使用する際、周囲の紫外線量を測定したり天気情報を取得したりすることにより、日焼け止め効果情報３０に基づいて、ユーザの外出時間と紫外線量や天気情報とから推奨される日焼け止めクリームのＳＰＦ値を算出して、このＳＰＦ値をユーザに対して提示する。
【００７５】
第３実施形態によると、ユーザが日焼け止めクリームを使用する際、測定された紫外線量や取得された天気情報に基づいて、推奨される日焼け止めクリームのＳＰＦ値を計算し、ユーザに対して提示することにより、ユーザが適切な日焼け止めクリームを選択し、日焼け止め効果を維持することが可能となる。
【００７６】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ、携帯音楽プレイヤー、携帯ゲーム機、携帯テレビ、ノート型ＰＣ等、紫外線センサを備えている携帯端末であれば、任意の携帯端末であっても良い。
【符号の説明】
【００７７】
１…携帯電話機，１０…上筐体，１１…下筐体，１２…ディスプレイ，１３…スピーカ，１４、１５、１８、１８ａ…操作キー，１６…紫外線検出装置，１７…マイクロフォン，２０…主制御部，２１…電源回路部，２２…操作入力制御部，２３…表示制御部，２４…音声制御部，２５…通信制御部，２５ａ…アンテナ，２６…紫外線検出部，２７…タイマー部，２８…記憶部，３０…日焼け止め効果情報，３１…ＳＰＧ情報，３２…紫外線量情報，３３…時間情報，４０…表示画面。
【図１】
2010266240.tif 000003
【図２】
2010266240.tif 000004
【図３】
2010266240.tif 000005
【図４】
2010266240.tif 000006
【図５】
2010266240.tif 000007
【図６】
2010266240.tif 000008
【図７】
2010266240.tif 000009
【図８】
2010266240.tif 000010
【図９】
2010266240.tif 000011
【図１０】
2010266240.tif 000012
【図１１】
2010266240.tif 000013
【図１２】
2010266240.tif 000014